(57)【要約】【課題】電子メールのデータ容量を小さくして、電子メールの受信に要する通信時間を短縮する。【解決手段】ファクシミリ機により受信したファクシミリ画像を取得し、その取得されたファクシミリ画像に対して文字認識を施すことにより、ファクシミリ画像に記載された文字列を得る。一方、前記取得されたファクシミリ画像を記憶装置に蓄積する。この文字認識により得られた文字列と、前記蓄積された前記ファクシミリ画像の所在地を表すＵＲＩとを本文欄に記載した電子メールを作成して、電子メールを所定の宛先に送信する。これにより、電子メールを受信した携帯電話機５１の画面の本文欄には、ファクシミリ画像Ｐの文字列６１とＵＲＩ６２が表示されることになる。【選択図】図６
2008252544.tif 000002
【特許請求の範囲】
【請求項１】
ファクシミリ画像転送装置であって、
通信回線に接続されるファクシミリ受信部により受信したファクシミリ画像を取得するファクシミリ画像取得手段と、
前記ファクシミリ画像取得手段により取得されたファクシミリ画像に対して文字認識を施すことにより、前記ファクシミリ画像に記載された文字列を得る文字認識手段と、
前記ファクシミリ画像取得手段により取得されたファクシミリ画像を蓄積する画像蓄積手段と、
前記文字認識手段により得られた文字列と、前記画像蓄積手段により蓄積された前記ファクシミリ画像の所在地を表す所在地情報とを本文欄に記載した電子メールを作成する電子メール作成手段と、
前記電子メールを所定の宛先に送信するメール送信手段と
を備えるファクシミリ画像転送装置。
【請求項２】
請求項１に記載のファクシミリ画像転送装置であって、
前記ファクシミリ受信部は、当該ファクシミリ画像転送装置と別体のファクシミリ機であり、
当該ファクシミリ画像転送装置は、インターネットに接続されるウェブサーバであり、
前記所在地情報は、インターネット上の所在地を指し示すＵＲＩである、ファクシミリ画像転送装置。
【請求項３】
請求項１または２に記載のファクシミリ画像転送装置であって、
前記所定の宛先となりうる複数の宛先候補が登録された宛先テーブルデータを記憶するメモリと、
前記文字認識手段により得られた文字列に基づいて、前記複数の宛先候補から一の宛先候補を選択して、該選択された宛先候補を前記所定の宛先に定める宛先決定手段と
を備えるファクシミリ画像転送装置。
【請求項４】
請求項１ないし３のいずれかに記載のファクシミリ画像転送装置であって、
前記所定の宛先は、携帯用コンピュータ端末機器である、ファクシミリ画像転送装置。
【請求項５】
ファクシミリ画像転送方法であって、
通信回線に接続されるファクシミリ受信部により受信したファクシミリ画像を取得し、
前記取得されたファクシミリ画像に対して文字認識を施すことにより、前記ファクシミリ画像に記載された文字列を得るとともに、
前記取得されたファクシミリ画像を記憶装置に蓄積し、
前記文字認識により得られた文字列と、前記蓄積された前記ファクシミリ画像の所在地を表す所在地情報とを本文欄に記載した電子メールを作成し、
前記電子メールを所定の宛先に送信するファクシミリ画像転送方法。
【請求項６】
コンピュータプログラムであって、
（ａ）通信回線に接続されるファクシミリ受信部により受信したファクシミリ画像を取得する機能と、
（ｂ）前記取得されたファクシミリ画像に対して文字認識を施すことにより、前記ファクシミリ画像に記載された文字列を得る機能と、
（ｃ）前記取得されたファクシミリ画像を蓄積する機能と、
（ｄ）前記文字認識により得られた文字列と、前記蓄積された前記ファクシミリ画像の所在地を表す所在地情報とを本文欄に記載した電子メールを作成する機能と、
（ｅ）前記電子メールを所定の宛先に送信する機能と
をコンピュータに実現させるコンピュータプログラム。
【発明の詳細な説明】
【技術分野】
【０００１】
本発明は、ファクシミリ画像を転送する技術に関する。
【背景技術】
【０００２】
従来、ファクシミリ機により受信したファクシミリ画像を、電子メールにて他の宛先に転送する電子メールシステムが提案されている（例えば、特許文献１）。詳細には、ファクシミリ画像を表す画像データを添付ファイルとして電子メール送信を行う。
【０００３】
【特許文献１】特開平１０−１３５９２号公報
【０００４】
しかしながら、前記従来の技術では、画像データのデータ容量が大きくなると、電子メールを受信するのに多大な通信時間を要するという問題があった。特に、電子メールの宛先が携帯電話機等のモバイル機器（携帯用コンピュータ端末機器）である場合、上記受信に要する通信時間はより多大となって、許容できるものではなかった。
【発明の開示】
【発明が解決しようとする課題】
【０００５】
本発明の解決しようとする課題は、電子メールのデータ容量を小さくして、電子メールの受信に要する通信時間を短縮することにある。
【課題を解決するための手段】
【０００６】
前述した課題の少なくとも一部を解決するための手段として、以下に示す構成をとった。
【０００７】
本発明のファクシミリ画像転送装置は、
通信回線に接続されるファクシミリ受信部により受信したファクシミリ画像を取得するファクシミリ画像取得手段と、
前記ファクシミリ画像取得手段により取得されたファクシミリ画像に対して文字認識を施すことにより、前記ファクシミリ画像に記載された文字列を得る文字認識手段と、
前記ファクシミリ画像取得手段により取得されたファクシミリ画像を蓄積する画像蓄積手段と、
前記文字認識手段により得られた文字列と、前記画像蓄積手段により蓄積された前記ファクシミリ画像の所在地を表す所在地情報とを本文欄に記載した電子メールを作成する電子メール作成手段と、
前記電子メールを所定の宛先に送信するメール送信手段と
を備えることを特徴としている。
【０００８】
前記構成のファクシミリ画像転送装置では、宛先に送信される電子メールは、本文欄に、ファクシミリ画像に対して文字認識を施すことにより得られた文字列と、前記ファクシミリ画像の所在地を表す所在地情報とを記載しただけのものとなる。このため、電子メールはデータ容量が少なくて済む。電子メールの受信者は、電子メールの本文欄の文字列を確認することで、ファクシミリ画像の大まかな内容を知ることができる。受信者はその内容から正式なファクシミリ画像を取得したいと判断した場合には、本文欄に記載された所在地情報から前記画像蓄積手段に蓄積されたファクシミリ画像を取り込むことができる。一方、正式なファクシミリ画像の取得が不要であると判断した場合には、ファクシミリ画像の取り込みの作業そのものが不要である。
【０００９】
したがって、本発明のファクシミリ画像転送装置によれば、ファクシミリ画像転送用の電子メールはデータ容量が少なくて済むことから、電子メールを受信するに要する通信時間を短縮することができる。すなわち、ファクシミリ画像の受信に要する通信時間を短縮することができるという効果を奏する。特に、電子メールの受信者は、電子メールの本文欄の文字列を見て、ファクシミリ画像の取得が不要であると判断された場合には、ファクシミリ画像の取り込みの作業そのものを取りやめることができることから、従来、無駄に要した通信時間を大幅に削減することができる。
【００１０】
前記ファクシミリ受信部は、当該ファクシミリ画像転送装置と別体のファクシミリ機であり、当該ファクシミリ画像転送装置は、インターネットに接続されるウェブサーバであり、前記所在地情報は、インターネット上の所在地を指し示すＵＲＩとしてもよい。この構成によれば、ウェブサーバの提供するサービスとして、ファクシミリ機で受信したファクシミリ画像を転送する作業を行うことができる。
【００１１】
本発明のファクシミリ画像転送装置において、前記所定の宛先となりうる複数の宛先候補が登録された宛先テーブルデータを記憶するメモリと、前記文字認識手段により得られた文字列に基づいて、前記複数の宛先候補から一の宛先候補を選択して、該選択された宛先候補を前記所定の宛先に定める宛先決定手段とを備える構成としてもよい。この構成によれば、電子メールの宛先を自動的に決定することができ、作業性に優れている。
【００１２】
前記所定の宛先は、携帯用コンピュータ端末機器としてもよい。携帯電話機等の携帯用コンピュータ端末機器では、データ転送速度が低いことから、従来技術では受信に要する通信時間はより多大なものとなっていた。これに対して、本発明によれば、携帯用コンピュータ端末機器でも高速に電子メールを受信することができる。
【００１３】
本発明のレイアウト枠設定方法は、
通信回線に接続されるファクシミリ受信部により受信したファクシミリ画像を取得し、
前記取得されたファクシミリ画像に対して文字認識を施すことにより、前記ファクシミリ画像に記載された文字列を得るとともに、
前記取得されたファクシミリ画像を記憶装置に蓄積し、
前記文字認識により得られた文字列と、前記蓄積された前記ファクシミリ画像の所在地を表す所在地情報とを本文欄に記載した電子メールを作成し、
前記電子メールを所定の宛先に送信することを特徴としている。
【００１４】
本発明のコンピュータプログラムは、
（ａ）通信回線に接続されるファクシミリ受信部により受信したファクシミリ画像を取得する機能と、
（ｂ）前記取得されたファクシミリ画像に対して文字認識を施すことにより、前記ファクシミリ画像に記載された文字列を得る機能と、
（ｃ）前記取得されたファクシミリ画像を蓄積する機能と、
（ｄ）前記文字認識により得られた文字列と、前記蓄積された前記ファクシミリ画像の所在地を表す所在地情報とを本文欄に記載した電子メールを作成する機能と、
（ｅ）前記電子メールを所定の宛先に送信する機能と
をコンピュータに実現させることを特徴としている。
【００１５】
本発明のファクシミリ画像転送方法およびコンピュータプログラムによっても、本発明のファクシミリ画像転送装置と同様に、ファクシミリ画像の受信に要する通信時間を短縮することができるという効果を奏する。
【００１６】
なお、本発明は、種々の態様で実現することが可能であり、例えば、本発明のコンピュータプログラムを記録した記録媒体、そのコンピュータプログラムを含み搬送波内に具現化されたデータ信号、等の形態で実現することができる。また、コンピュータプログラムを通信経路を介して供給するプログラム供給装置としての態様で実現することもできる。
【発明を実施するための最良の形態】
【００１７】
以下、本発明の実施の形態を実施例に基づいて詳細に説明する。
【００１８】
Ａ．ハードウェアの構成：
図１は、本発明の一実施例を適用するファクシミリ画像転送システム１０のハードウェアの概略構成を示すブロック図である。このファクシミリ画像転送システム１０は、インターネットに接続されるウェブサーバ２０を中心に備え、インターネットによってウェブサーバ２０に接続されるファクシミリ機３０とパーソナルコンピュータ（以下、「ＰＣ」と呼ぶ）４０を備える。
【００１９】
ファクシミリ機３０は、電話回線等の通信回線に接続され、画像を電気信号に変換して遠隔地に電送する装置である。さらに、このファクシミリ機３０は、インターネットに自動接続し、ウェブサーバ２０にログイン可能となっている。ファクシミリ機３０は、外部から通信回線を介して送られてきた画像（以下、「ファクシミリ画像」と呼ぶ）Ｐを受信するとともに、受信して得られたファクシミリ画像データＰＤをウェブサーバ２０にインターネットを介して送信する。
【００２０】
ＰＣ４０は、コンピュータ本体４１を中心に備え、その周辺に表示装置としてのディスプレイ４２と、入力装置としてのキーボード４３およびマウス４４を備える。コンピュータ本体４１は、機能として宛先登録部４１ａを備えるが、この宛先登録部４１ａの働きについては後述する。
【００２１】
ウェブサーバ２０は、インターネット上にウェブページを提供するコンピュータによって構成される。コンピュータは、ＣＰＵを中心にバスにより相互に接続されたＲＯＭ、ＲＡＭ等を備えるコンピュータ本体２１と、表示装置としてのディスプレイ２２と、入力装置としてのキーボード２３およびマウス２４を備える。ウェブサーバ２０は、ファクシミリ機３０から送られてきたファクシミリ画像データＰＤをコンピュータ本体２１に内蔵されるハードディスク装置２５に蓄積する。
【００２２】
また、ウェブサーバ２０は、インターネットに接続して、所定の宛先に向けて電子メールＥＭを送信する。図示の例では、インターネットに複数の携帯用コンピュータ端末機器が接続されている。携帯用コンピュータ端末機器としては、携帯電話機５１〜５３やノート型パーソナルコンピュータ（以下、「ノートＰＣ」と呼ぶ）５４等が該当する。携帯用コンピュータ端末機器は、電子メールを送受信可能な機器であればいずれの機器に換えることもできる。さらには、携帯用コンピュータ端末機器は必ずしも携帯用である必要もなく固定用のコンピュータであってもよい。
【００２３】
ウェブサーバ２０から送信された電子メールＥＭは、宛先である所定の携帯電話機５１により受信される。本実施例では、ファクシミリ機３０で受信されてウェブサーバ２０に送られてきたファクシミリ画像データＰＤを、電子メールＥＭの形態で所定の宛先の携帯電話機５１に送信することで、ファクシミリ機３０で受信したファクシミリ画像データＰＤを携帯電話機５１へ転送することを実現している。
【００２４】
Ｂ．ソフトウェアの構成：
上記ファクシミリ画像データＰＤの転送は、ウェブサーバ２０のコンピュータ本体２１に機能として備えられるファクシミリ画像取得部２１ａ、文字認識部２１ｂ、画像蓄積部２１ｃ、電子メール作成部２１ｄ、宛先決定部２１ｅ、電子メール送信部２１ｆによって実現される。ファクシミリ機３０から送られてきたファクシミリ画像データＰＤは、ファクシミリ画像取得部２１ａにより取得されて、このファクシミリ画像データＰＤに対して文字認識部２１ｂにより文字認識が施される。文字認識は、画像を光学的に文字認識するＯＣＲ処理により画像の文字情報を得る周知の技術である。ここでは詳しい説明を省略するが、要は、ファクシミリ画像データＰＤからファクシミリ画像に記載された文字列を得ることができる。
【００２５】
また、ファクシミリ画像取得部２１ａにより取得されたファクシミリ画像データＰＤは、画像蓄積部２１ｃにより、ハードディスク装置２５に蓄積される。電子メール作成部２１ｄは、文字認識部２１ｂにより得られた文字列、すなわちファクシミリ画像データＰＤに記載された文字列と、ハードディスク装置に蓄積されたファクシミリ画像データＰＤの所在地を表すＵＲＩ（Uniform Resource Identifier）とを記載する本文欄を備える電子メールＥＭを作成する。ＵＲＩは、インターネット上のリソースの所在地を指し示す情報である。
【００２６】
宛先決定部２１ｅは、電子メール作成部２１ｄによって作成した電子メールＥＭの宛先を決定する。詳細には、複数の宛先候補が登録された宛先テーブルＴＢＬの中から所望の宛先を選択して、この選択された宛先を上記電子メールＥＭの宛先と決定する。
【００２７】
図２は、宛先テーブルＴＢＬの一例を示す説明図である。図示するように、宛先テーブルＴＢＬは、［受信ファクシミリナンバ］のフィールドＦＤ１と、［宛名］のフィールドＦＤ２と、［アドレス］のフィールドＦＤ３とを１レコードとして記憶する表形式のデータである。［受信ファクシミリナンバ］のフィールドＦＤ１には、ファクシミリ画像の転送元のファクシミリ機３０を特定するファクシミリナンバ（ファックス番号）が記憶される。［宛名］のフィールドＦＤ２には、ファクシミリ画像の転送先の氏名が記憶される。［アドレス］のフィールドＦＤ３には、その転送先の電子メールアドレスが記憶される。１レコードを１候補として、図示の例では、特許太郎、実用花子、意匠一郎、商標二郎の４人の宛先候補が登録されている。宛先テーブルＴＢＬは、コンピュータ本体２１のＲＡＭに記憶される。
【００２８】
上記宛先テーブルＴＢＬは、ＰＣ４０が、ウェブサーバ２０によって提供される所定のウェブページにログインして登録される。この機能がＰＣ４０に備えられる宛先登録部４１ａによるものである。ＰＣ４０の操作者は、上記ウェブページにログインして、上記宛先テーブルＴＢＬの各フィールドＦＤ１〜ＦＤ３に登録すべき情報を、キーボード４３およびマウス４４を操作して上記ウェブページに登録する。これにより、転送元である所定のファクシミリ機３０でファクシミリ画像を受信したときの転送先の候補を宛先テーブルＴＢＬに登録することができる。なお、図示の例示では、宛先テーブルＴＢＬには、１台のファクシミリ機３０についてのデータしか登録されていないが、複数のファクシミリ機についてのデータを登録することも可能である。
【００２９】
ウェブサーバ２０の宛先決定部２１ｅは、前述したように宛先テーブルＴＢＬの中から所望の宛先を選択して、この選択された宛先を上記電子メールＥＭの宛先と決定する。詳細には、宛先決定部２１ｅは、文字認識部２１ｂにより得られたファクシミリ画像に記載された文字列から宛名部分を抽出して、この宛名部分の文字列を、宛先テーブルＴＢＬの［宛名］のフィールドＦＤ２の内容と突き合わせることで、ファクシミリ機３０から送られてきたファクシミリ画像データＰＤが誰宛のものであるかを判定する。宛名部分の抽出は、定型の文書であれば所定の位置から行えばよい。不定型の文書では、「様」とか「殿」といった宛名に掛かる文字や文書の左上といった大まかな位置から宛名位置を特定して、その宛名位置の文字列を抽出するようにすればよい。
【００３０】
上記突き合わせで一致するものがあった場合に、該当する宛名に対応した［アドレス］のフィールドＦＤ３に格納される電子メールアドレスを選択し、この電子メールアドレスを上記電子メールＥＭの宛先と決定する。その後、電子メールＥＭを電子メール送信部２１ｆにより、上記宛先に向かって送信する。なお、上記一致するかの突き合わせは、文字認識の誤判定を考慮に入れて、完全に一致するものだけではなく大まかに一致するものを「一致」と判断する構成としてもよい。
【００３１】
ウェブサーバ２０に備えられる上記各部２１ａ〜２１ｆは、コンピュータ本体２１にインストールされてハードディスク装置２５に格納されたソフトウェア（コンピュータプログラム）をＣＰＵが実行することにより実現される。このコンピュータプログラムは、ＣＤ−ＲＯＭによって提供されたものである。なお、このコンピュータプログラムは、ＣＤ−ＲＯＭに替えて、フレキシブルディスク、光磁気ディスク、ＩＣカード等の他の携帯型記録媒体（可搬型記録媒体）に格納された構成として、これらから提供されたものとすることができる。また、コンピュータプログラムは、外部のネットワークに接続される特定のサーバから、ネットワークを介して提供されたものとすることもできる。上記ネットワークとしては、インターネットであってもよく、特定のホームページからダウンロードして得たコンピュータプログラムであってもよい。あるいは、電子メールの添付ファイルの形態で供給されたコンピュータプログラムであってもよい。
【００３２】
図３は、上述したコンピュータプログラムに従って実行されるファクシミリ画像転送処理を示すフローチャートである。図示するように処理が開始されると、コンピュータ本体２１のＣＰＵは、まず、ファクシミリ機３０から送られてきたファクシミリ画像データＰＤを取得する（ステップＳ１００）。このステップＳ１００の処理は、前述したファクシミリ画像取得部２１ａ（図１）に対応する。
【００３３】
次いで、ＣＰＵは、ファクシミリ画像取得部２１ａにより取得されたファクシミリ画像データＰＤをハードディスク装置２５に格納する（ステップＳ１１０）。このステップＳ１１０の処理は、前述した画像蓄積部２１ｃ（図１）に対応する。続いて、ＣＰＵは、ファクシミリ画像データＰＤに対してＯＣＲ処理を施す（ステップＳ１２０）。このステップＳ１２０の処理は、前述した文字認識部２１ｂ（図１）に対応する。
【００３４】
図４は、ファクシミリ機３０により印刷されたファクシミリ画像Ｐの一例を示す説明図である。図中、ＰＲは印刷用紙であり、図示するような文書がファクシミリ画像データＰＤで表されるファクシミリ画像Ｐである。ファクシミリ画像Ｐは、「特許  太郎  様    …（省略）…  ご参加下さい。」との文字列と桜の絵柄が記載されたものである。ステップＳ１２０のＯＣＲ処理により、上記文字列が抽出される。
【００３５】
図３に戻って、ＣＰＵは、電子メールのひな型となるデータを用意して、ステップＳ１２０で抽出された文字列を電子メールの本文欄に書き込む（ステップＳ１３０）とともに、ハードディスク装置２５に格納されたファクシミリ画像データＰＤの所在地を表すＵＲＩを上記本文欄に書き込む（ステップＳ１４０）。このステップＳ１３０およびＳ１４０の処理が、前述した電子メール作成部２１ｄ（図１）に対応する。
【００３６】
図５は、電子メールＥＭのデータ構造を示す説明図である。図示するように、電子メールＥＭはヘッダＦＤ１０と本文欄ＦＤ２０とを備える。ヘッダＦＤ１０は、［送信者］のフィールドＦＤ１１と、［日時］のフィールドＦＤ１２と、［宛先］のフィールドＦＤ１３と、［件名］のフィールドＦＤ１４とによって構成される。図示の例は、ファクシミリ画像Ｐを図４に例示した文書であるとしたものである。ステップＳ１３０およびＳ１４０の処理により、本文欄ＦＤ２０には、図４のファクシミリ画像Ｐに記載された文字列である「特許  太郎  様    …（省略）…  ご参加下さい。」が書き込まれ、さらに改行して、ファクシミリ画像データＰＤの所在地を表すＵＲＩが書き込まれる。
【００３７】
図３に戻って、ステップＳ１４０の実行後、ＣＰＵは、宛先を決定して、その決定された宛先の電子メールアドレスをヘッダＦＤ１０の［宛先］のフィールドＦＤ１３に書き込む（ステップＳ１５０）。このステップＳ１５０の処理は、前述した宛先決定部２１ｅ（図１）に対応する。図５の例では、［宛先］のフィールドＦＤ１３には、「特許太郎」という宛名の電子メールアドレスである「ｔａｒｏｕ＠ａａａ．ｎｅ．ｊｐ」が書き込まれる。ステップＳ１５０までの処理によって、送信すべき電子メールＥＭが作成されることになる。なお、図示の例では、［送信者］のフィールドＦＤ１１にはウェブサーバ２０の管理者である名称（図示の例では△△△）が書き込まれ、［件名］のフィールドＦＤ１４には「ファクシミリ転送」の文字列が書き込まれている。
【００３８】
図３に戻って、ステップＳ１５０の実行後、ＣＰＵは、上記作成された電子メールＥＭを送信する（ステップＳ１６０）。このステップＳ１６０の処理は、前述した電子メール送信部２１ｆ（図１）に対応する。すなわち、電子メールＥＭのヘッダＦＤ１０の［宛先］フィールドＦＤ１３に書き込まれた電子メールアドレス宛に電子メールＥＭを送信する。ステップＳ１６０の実行後、このファクシミリ画像転送処理を終了する。
【００３９】
Ｃ．作用・効果：
図６は、上記電子メールＥＭを受信した携帯電話機５１の画面を表す説明図である。図示の例は、ファクシミリ画像Ｐを図４に例示した文書であるとして、そのファクシミリ画像Ｐが転送されたものである。図示するように携帯電話機５１の画面の本文欄には、ファクシミリ画像Ｐの文字列６１とＵＲＩ６２が表示されている。携帯電話機５１の操作者は、電子メールの本文欄の文字列６１を確認することで、ファクシミリ画像Ｐの大まかな内容を知ることができ、操作者は、その内容から正式なファクシミリ画像Ｐを取得したいと判断した場合に、ＵＲＩ６２をクリックする操作を行う。ＵＲＩ６２をクリックすると、ＵＲＩ６２によってリンクされたファクシミリ画像データＰＤをウェブサーバ２０のハードディスク装置２５から携帯電話機５１に取り込むことができ、携帯電話機５１の画面には図４に例示したファクシミリ画像Ｐが表示される。一方、操作者は、正式なファクシミリ画像の取得が不要であると判断した場合には、ＵＲＩ６２をクリックすることなく電子メールの閲覧の作業を中止することができる。
【００４０】
したがって、本実施例によれば、ファクシミリ画像転送用の電子メールはデータ容量が少なくて済むことから、電子メールを受信するに要する通信時間を短縮することができる。すなわち、ファクシミリ画像の受信に要する通信時間を短縮することができるという効果を奏する。特に、電子メールの受信者は、電子メールの本文欄の文字列を見て、ファクシミリ画像の取得が不要であると判断された場合には、ファクシミリ画像の取り込みの作業そのものを中止することができることから、従来、無駄に要した通信時間を大幅に削減することができる。また、本実施例では、受信者が携帯電話機であるが、携帯電話機のような通信速度が低い機器であっても、送られてくるデータ容量が少ないことから高速に電子メールＥＭを受信することができる。なお、通信時間の短縮化は、通信コストの削減という副次的な効果を奏する。
【００４１】
また、本実施例によれば、ファクシミリ画像の転送先となりうる複数の宛先候補を宛先テーブルＴＢＬに予め登録しておいて、ファクシミリ画像データＰＤのＯＣＲ結果から一の宛先候補を選択して、この選択された宛先候補の電子メールアドレスを上記電子メールＥＭの宛先と決定している。このため、電子メールＥＭの宛先を自動的に決定することができ、作業性に優れている。
【００４２】
Ｄ．他の実施形態：
なお、この発明は上記の実施例や変形例に限られるものではなく、本発明の要旨を逸脱しない範囲において種々なる態様にて実施することが可能であり、例えば次のような変形も可能である。
【００４３】
（１）前記実施例では、宛先テーブルＴＢＬに複数の宛先候補を用意して、それら宛先候補の中の一つが選択される構成としていたが、これに換えて、宛先を予め一つに定めて、その宛先に電子メールを送るように構成してもよい。すなわち、所定のファクシミリ機によって受信したファクシミリ画像は全て予め定めた所定の宛先に電子メールを送る構成としてもよい。
【００４４】
（２）前記実施例では、ファクシミリ画像の転送をウェブサーバ２０を介して行っていたが、これに換えて、ウェブサーバ２０を介さずにファクシミリ機から受信用のコンピュータ端末機器に直接、電子メールＥＭを送信する構成としてもよい。詳細には、ウェブサーバ２０に備えられた各部２１ａ〜２１ｆをファクシミリ機に備える構成とすることで、ファクシミリ機で受信したファクシミリ画像を電子メールとして他の宛先に転送することができる。すなわち、前記実施例では、本発明でいう「ファクシミリ受信部」がファクシミリ機３０であったが、この変形例では、ファクシミリ受信部はファクシミリ機に内蔵される受信ユニットに該当し、本発明を構成する各手段はファクシミリ機に備えられるものとなる。
【００４５】
（３）前記実施例では、ファクシミリ画像の転送をインターネットで行っていたが、インターネット以外の所定のネットワークに換えることもできる。ファクシミリ画像データの所在地を表す所在地情報は、ＵＲＩに替えて所在地を特定可能な他の情報としてもよい。また、転送元であるファクシミリ機３０は、専用機である必要はなく、プリンタやスキャナーを含む複合機や、ファクシミリ機能を備えるパーソナルコンピュータに換えることもできる。
【図面の簡単な説明】
【００４６】
【図１】本発明の一実施例を適用するファクシミリ画像転送システム１０のハードウェアの概略構成を示すブロック図である。
【図２】宛先テーブルＴＢＬの一例を示す説明図である。
【図３】ファクシミリ画像転送処理を示すフローチャートである。
【図４】ファクシミリ画像Ｐの一例を示す説明図である。
【図５】電子メールＥＭのデータ構造を示す説明図である。
【図６】電子メールＥＭを受信した携帯電話機５１の画面を表す説明図である。
【符号の説明】
【００４７】
１０…ファクシミリ画像転送システム
２０…ウェブサーバ
２１…コンピュータ本体
２１ａ…ファクシミリ画像取得部
２１ｂ…文字認識部
２１ｃ…画像蓄積部
２１ｄ…電子メール作成部
２１ｅ…宛先決定部
２１ｆ…電子メール送信部
２２…ディスプレイ
２３…キーボード
２４…マウス
２５…ハードディスク装置
３０…ファクシミリ機
４０…パーソナルコンピュータ
４１…コンピュータ本体
４１ａ…宛先登録部
４２…ディスプレイ
４３…キーボード
４４…マウス
５１…携帯電話機
６１…文字列
６２…ＵＲＩ
Ｐ…ファクシミリ画像
ＰＤ…ファクシミリ画像データ
ＥＭ…電子メール
Ｆｄ１０…ヘッダ
ＦＤ２０…本文欄
ＴＢＬ…宛先テーブル
【図１】
2008252544.tif 000003
【図２】
2008252544.tif 000004
【図３】
2008252544.tif 000005
【図４】
2008252544.tif 000006
【図５】
2008252544.tif 000007
【図６】
2008252544.tif 000008